(57)【特許請求の範囲】
【請求項１】
電動送風機の負圧により吸引した塵埃を分離する第１塵埃分離手段と、
この第１塵埃分離手段で分離された塵埃を集塵する第１集塵部と、
前記第１塵埃分離手段を通過した塵埃を分離する第２塵埃分離手段と、
この第２塵埃分離手段に付着した塵埃を落とす除塵手段と、
前記第２塵埃分離手段の上流側であって且つその第２塵埃分離手段の下部に設けられるとともに前記除塵手段により落とされる塵埃を溜める第２集塵部と、
前記第１、第２集塵部を区画する区画壁とを備え、
前記第２集塵部を前記区画壁の下部壁と底蓋とで囲み、
前記除塵手段により落とされた塵埃を第２集塵部内へ導入する導入開口を設け、
前記区画壁に前記第１集塵部と前記第２集塵部とを連通する連通開口を第２集塵部の上部に設け、
前記導入開口と連通開口のどちらか一方を閉塞し且つ回動動作することによりその閉塞が他方に切り換わる開閉部材を設け、
前記電動送風機の駆動による負圧によって前記開閉部材は前記導入開口を閉塞し、
前記電動送風機が駆動されていないとき前記開閉部材は自重により前記連通開口を閉塞することを特徴とする電気掃除機。
【発明の詳細な説明】
【技術分野】
【０００１】
この発明は、吸引した塵埃を分離する第１，第２埃分離手段を備えた電気掃除機に関する。
【背景技術】
【０００２】
従来から、塵埃を分離する第１塵埃分離手段と、第１塵埃分離手段を通過した塵埃を分離する第２塵埃分離手段とを備えた電気掃除機が知られている（特許文献１参照）。
【０００３】
かかる電気掃除機は、電動送風機の負圧により吸引した塵埃を分離する第１塵埃分離手段と、この第１塵埃分離手段で分離された塵埃を集塵する第１集塵部と、第１塵埃分離手段を通過した塵埃を分離する第２塵埃分離手段と、この第２塵埃分離手段に付着した塵埃を落とす除塵手段と、第２塵埃分離手段の下部に設けられるとともに除塵手段により落とされる塵埃を溜める第２集塵部とを備えている。そして、第２集塵部の上部に設けられた導入開口には開閉可能な開閉部材が設けられており、この開閉部材の開閉動作は電源コードの引き出しや巻取動作に連動して行われるようになっている。
【０００４】
すなわち、電源コードを引き出すときに開閉部材が第２集塵部の導入開口を閉塞し、電源コードを巻き取るときにその導入開口が開放されるようになっている。
【０００５】
また、電源コードが巻き取られるときに、第２塵埃分離手段に付着した塵埃を落とす除塵手段が作動し、第２塵埃分離手段から落とされた塵埃が導入開口から第２集塵部内へ落下していくようになっている。
【０００６】
そして、電動送風機が駆動されているとき、すなわち電源コードが引き出されているとき、第２集塵部の導入開口は開閉部材により閉塞され、第２集塵部に溜まった塵埃が巻き上げられて再度第２集塵部に付着してしまうことが防止されるようになっている。
【特許文献１】特開２００６−６３８３号公報
【発明の開示】
【発明が解決しようとする課題】
【０００７】
しかしながら、このような電気掃除機にあっては、開閉部材の開閉動作は電源コードの引き出しや巻取動作に連動して行う連動機構を設けなければならず、構造が複雑になってしまうという問題があった。
【０００８】
この発明の目的は、簡単な構造で第２集塵部の導入開口の開閉を行うことのできる電気掃除機を提供することにある。
【課題を解決するための手段】
【０００９】
請求項１の発明は、電動送風機の負圧により吸引した塵埃を分離する第１塵埃分離手段と、この第１塵埃分離手段で分離された塵埃を集塵する第１集塵部と、前記第１塵埃分離手段を通過した塵埃を分離する第２塵埃分離手段と、この第２塵埃分離手段に付着した塵埃を落とす除塵手段と、前記第２塵埃分離手段の上流側であって且つその第２塵埃分離手段の下部に設けられるとともに前記除塵手段により落とされる塵埃を溜める第２集塵部と、前記第１、第２集塵部を区画する区画壁とを備え、前記第２集塵部を前記区画壁の下部壁と底蓋とで囲み、前記除塵手段により落とされた塵埃を第２集塵部内へ導入する導入開口を設け、前記区画壁に前記第１集塵部と前記第２集塵部とを連通する連通開口を第２集塵部の上部に設け、前記導入開口と連通開口のどちらか一方を閉塞し且つ回動動作することによりその閉塞が他方に切り換わる開閉部材を設け、前記電動送風機の駆動による負圧によって前記開閉部材は前記導入開口を閉塞し、前記電動送風機が駆動されていないとき前記開閉部材は自重により前記連通開口を閉塞することを特徴とする。
【発明の効果】
【００１０】
この発明によれば、第２集塵部の導入開口の開閉を簡単な構造で行うことができ、塵埃の再付着を防止することができる。
【発明を実施するための最良の形態】
【００１１】
以下、この発明に係る電気掃除機の実施形態である実施例を図面に基づいて説明する。
【実施例】
【００１２】
図１に示す電気掃除機１０は、掃除機本体２０を備えており、この掃除機本体２０の前部に設けたホース接続口２１には集塵ホース１２の一端が着脱自在に接続され、その他端には手元操作部１３が設けられている。手元操作部１３には延長管１４が着脱自在に接続され、延長管１４の先端部には吸込口体１５が着脱自在に接続されている。また、手元操作部１３には操作部１３Ａが設けられており、この操作部１３Ａには複数の操作スイッチＳが設けられている。
【００１３】
掃除機本体２０は、図２に示すように、本体ケース３０と、本体ケース３０に着脱自在に載置される集塵容器５０と、後部が本体ケース３０にヒンジ結合されて上下方向に開閉可能となっている蓋体４０とを備えている。
【００１４】
また、本体ケース３０の後部３０Ａには電動送風機３３（図３参照）が内蔵され、この電動送風機３３の下側にはコードリール３４が配置されている。また、本体ケース３０の前（図３において左側）には皿状の載置部３５が設けられている。この載置部３５には集塵容器５０が着脱自在に載置され、蓋体４０を閉じた際にこの蓋体４０と載置部３５とで集塵容器５０を挟持して固定するようになっている。
【００１５】
蓋体４０には、図３に示すように管部２２が設けられており、この管部２２の先端がホース接続口２１となっている。また、管部２２の後端が接続開口２３となっている。
【００１６】
後部３０Ａの前壁部３１（図２参照）には図示しない前面開口が形成され、この前面開口は電動送風機３３の吸込開口３３Ａに図示しない連通風路を介して連通され、その前面開口を臨む連通風路内には除塵手段９０が設けられている。
【００１７】
除塵手段９０は、本体ケース３０の幅方向（図３の紙面と直交する方向）に往復移動する図示しない往復移動体と、この往復移動体に設けた突起９１とを有し、この突起９１が後述するプリーツフィルタ体１００のプリーツの山部に浅く係合し、往復移動体が往復移動することにより突起９１がプリーツの山部を乗り越えながら移動することによって、プリーツフィルタ体１００に振動を与えてプリーツフィルタ体１００に付着した塵埃を落とすようになっている。
【００１８】
往復移動体は、電動送風機３３の駆動が停止される毎に所定時間だけ往復移動するようになっている。
【００１９】
集塵容器５０は、図４および図５に示すように、上部に形成された周回風路部５１と、この周回風路部５１の下に形成された集塵部（第１集塵部）６０と、この集塵部６０の後部側に形成された負圧室部７０と、底蓋８０とを有している。
【００２０】
周回風路部５１は、図６に示すように中心部に設けた塵埃分離部（第１塵埃分離手段）５２の周囲に円弧状の周回風路５３を形成したものである。周回風路５３の先端の先端開口５４は、図３に示すように蓋体４０の管部２２の接続開口２３に接合されている。周回風路５３は後端開口５５を介して集塵部６０内に連通している。また、周回風路５３の途中の底部には負圧室部７０に連通する開口５７が形成され、この開口５７にはネットフィルタＦ２が張られている。
【００２１】
塵埃分離部５２は、ほぼ円筒状に形成された枠体（図示せず）と、この枠体に張られたネットフィルタＦ１とで構成されている。塵埃分離部５２内の底部は開口され、この開口５６を介して塵埃分離部５２内と負圧室部７０とが連通している。
【００２２】
集塵部６０の後部の隔壁６１には、負圧室部７０に連通する開口６２が形成され、隔壁６１の下部壁６１Ａには、細塵集塵部７４の上部となる位置に連通穴（連通開口）６３が形成されている。すなわち、開口６２の下に連通穴６３が形成されている。そして、開口６２にはネットフィルタ（第１塵埃分離手段）Ｆ３が張られている。
【００２３】
負圧室部７０の後部（図５において右側）には、プリーツフィルタ体（第２塵埃分離手段）１００を着脱可能に装着する枠部７１が一体形成され、この枠部７１の後端開口７２が図３に示す本体ケース３０の前面開口（図示せず）に接合されている。
【００２４】
枠部７１の下部には下部後壁部７３が形成され、この下部後壁部７３と集塵部６０の隔壁（区画壁）６１の下部壁６１Ａと底蓋８０とで囲まれる空間が細塵集塵部（第２集塵部）７４となっている。この細塵集塵部７４は隔壁６１の連通穴６３を介して集塵部６０内と連通するようになっている。また、図７に示すように枠部７１の下枠壁部７１Ａと隔壁６１の下部壁６１Ａとの間が導入開口７５となっている。
【００２５】
また、集塵部６０の隔壁６１の下部には、導入開口７５を閉塞するための開閉板（開閉部材）７６の一端部（図７において上部）が軸支されている。この開閉板７６は一端部を中心にして回動自在となっており、電動送風機３３が駆動されていないとき、自重により隔壁６１の連通穴６３を閉塞し、細塵集塵部７４の導入開口７５は開放されるようになっている。そして、電動送風機３３の駆動により負圧室部７０内が負圧になると、開閉板７６が回動して導入開口７５を閉塞（図９参照）するように連通穴６３の開口面が設定されている。
【００２６】
底蓋８０は、図３に示す軸８１を中心にして時計回りに回動可能となっており、集塵容器５０の把手部５８に設けたボタンＢを押すと、回動して集塵部６０および細塵集塵部７４の底部が開放されて、集塵部６０および細塵集塵部７４に溜まった塵埃を捨てることができるようになっている。
［動  作］
次に、上記のように構成される電気掃除機の動作について説明する。
【００２７】
先ず、図２に示すように、集塵容器５０を本体ケース３０の載置部３５に載置して蓋体４０を閉じ、図１に示すように集塵ホース２１の一端を蓋体４０のホース接続口２１に接続する。
【００２８】
この状態では、図３および図７に示すように集塵容器５０の開閉板７６は自重により隔壁６１の連通穴６３を閉塞している。
【００２９】
そして、操作部１３ＡのスイッチＳを操作すると電動送風機３３が駆動される。この電動送風機３３の駆動により、電動送風機３３の吸込開口３３Ａから空気が吸い込まれて集塵容器５０の負圧室部７０が負圧となる。この負圧により開閉板７６が回動して図８および図９に示すように導入開口７５を閉塞する。
【００３０】
この閉塞により、細塵集塵部７４に溜まっている細塵が吸い上げられてプリーツフィルタ体１００に付着してしまうことが防止される。
【００３１】
また、集塵容器５０の隔壁６１の連通穴６３が細塵集塵部７４の上部に形成されていることにより、開閉板７６が回動して導入開口７５を閉塞する際に、図７および図９の矢印で示すように空気が流れるので、この空気によって細塵集塵部７４に溜まっている塵埃を巻き上げてしまうことがない。
【００３２】
このように、開閉板７６は電動送風機３３の駆動による負圧によって回動して導入開口７５を閉塞するようにしたものであるから、その開閉板７６の構造は至って簡単なものとなる。
【００３３】
一方、集塵容器５０の負圧室部７０の負圧により集塵部６０および周回風路５３が負圧となる。この負圧が蓋体４０の管部２２,集塵ホース１２,延長管１４および吸込口体１５に作用し、吸込口体１５から空気とともに塵埃が吸引されていく。
【００３４】
この吸引された塵埃および空気が延長管１４および集塵ホース１２を介して蓋体４０のホース接続口２１へ吸引されていく。このホース接続口２１へ吸引された塵埃および空気は、集塵容器５０の周回風路５３を通って集塵部６０へ吸引されていく。
【００３５】
周回風路５３により、空気の一部が塵埃から分離され、この分離された空気がネットフィルタＦ１，Ｆ２を通って負圧室部７０へ吸引されていく。
【００３６】
集塵部６０内へ吸引された塵埃と空気はここで分離され、分離された空気はネットフィルタＦ３を通って負圧室部７０へ吸引されていき、塵埃は集塵部６０内に集塵されていく。
【００３７】
負圧室部７０へ吸引された空気はプリーツフィルタ体１００等を介して電動送風機３３の吸込開口３３Ａへ吸引されていく。この吸引された空気は電動送風機３３の排出口３３Ｂから排出され、さらに本体ケース３０の排気口（図示せず）から外部へ排気される。
【００３８】
そして、電動送風機３３の駆動が停止されると、吸込口体１５からの塵埃および空気の吸引が停止し、集塵容器５０の負圧室部７０の真空度が上昇して大気圧となり、集塵容器５０の開閉板７６は自重により回動して、図３および図７に示すように隔壁６１の連通穴６３を閉塞し、細塵集塵部７４の導入開口７５が開放される。
【００３９】
他方、電動送風機３３の駆動の停止により、除塵手段９０の図示しない往復移動体が所定時間だけ往復移動して、プリーツフィルタ体１００に付着した塵埃が落とされていく。プリーツフィルタ体１００から落とされた塵埃は、図７に示すように導入開口７５が開放されていることにより、細塵集塵部７４内へ落ちていく。
【００４０】
集塵容器５０の集塵部６０および細塵集塵部７４に溜まった塵埃を捨てるには、この集塵容器５０を本体ケース３０から取り外し、集塵容器５０の把手部５８のボタンＢを押せば、底蓋８０（図３参照）が軸８１を中心にして時計回りに回動して、集塵部６０および細塵集塵部７４の底部が開放され、集塵部６０および細塵集塵部７４に溜まった塵埃が捨てられる。
【００４１】
この発明は、上記実施例に限定されるものではなく、種々の設計変更ができることは勿論である。
【図面の簡単な説明】
【００４２】
【図１】この発明に係る電気掃除機の外観を示した斜視図である。
【図２】掃除機本体を示した斜視図である。
【図３】掃除機本体の構成を示した縦断面図である。
【図４】集塵容器を示した斜視図である。
【図５】図４に示す集塵容器を他の方向から見た斜視図である。
【図６】集塵容器の周回風路部の構成を示した説明図である。
【図７】細塵集塵部を示した説明図である。
【図８】開閉板が導入開口を閉塞した状態を示した掃除機本体の断面図である。
【図９】開閉板が導入開口を閉塞した状態を示した細塵集塵部の説明図である。
【符号の説明】
【００４３】
３３      電動送風機
５０      集塵容器
６０      集塵部（第１集塵部）
６１      隔壁（区画壁）
６３      連通穴（連通開口）
７４      細塵集塵部（第２集塵部）
７５      導入開口
７６      開閉板（開閉部材）
９０      除塵手段
１００    プリーツフィルタ体（第２塵埃分離手段）
Ｆ３      ネットフィルタ（第１塵埃分離手段）
【図１】
0004709680.tif 000002
【図２】
0004709680.tif 000003
【図３】
0004709680.tif 000004
【図４】
0004709680.tif 000005
【図５】
0004709680.tif 000006
【図６】
0004709680.tif 000007
【図７】
0004709680.tif 000008
【図８】
0004709680.tif 000009
【図９】
0004709680.tif 000010